(57)【要約】【課題】点灯開始時に、電極温度の安定とほぼ同時に調光が可能となる照明装置を提供する。【解決手段】点灯開始時に、温度センサ３ａがランプ１の放射温度を測定し、温度データＤ１を出力する。次に、調光禁止判定部５は温度データＤ１からランプ１の放射温度の変化を検出し、放射温度の測定値が飽和するまでは調光制御部４の調光禁止状態を継続して全点灯制御を行う。そして放射温度の測定値が飽和すると電極温度が安定したと判断し、その飽和時点までを調光禁止時間として、以降、調光禁止判定部５は調光制御部４の調光禁止状態を解除して、外部からの調光信号Ｓ１による調光制御を行う。【選択図】        図１
2004265705.tif 000002
【特許請求の範囲】
【請求項１】
ランプと、ランプを調光する調光手段と、ランプ出力を点灯開始から監視する監視手段と、点灯開始時には調光手段の調光を禁止し、監視手段で監視しているランプ出力が飽和した時点で調光手段の調光禁止を解除する調光禁止判定手段とを備えることを特徴とする照明装置。
【請求項２】
前記監視手段はランプから放射される温度の測定結果を出力する温度測定手段から成り、前記調光禁止判定手段は温度測定手段の出力が飽和した時点で調光手段での調光禁止を解除することを特徴とする請求項１記載の照明装置。
【請求項３】
前記監視手段はランプの光出力の測定結果を出力する光出力測定手段から成り、前記調光禁止判定手段は光出力測定手段の出力が飽和した時点で調光手段での調光禁止を解除することを特徴とする請求項１記載の照明装置。
【請求項４】
前記調光手段は、前記光出力測定手段が測定した光出力の測定値が調光目標値となるように調光信号を変化させて調光を行うことを特徴とする請求項３記載の照明装置。
【発明の詳細な説明】
【０００１】
【発明の属する技術分野】
本発明は、照明装置に関するものである。
【０００２】
【従来の技術】
ＨＩＤランプの調光制御においてはランプ電極の摩耗を低減させるため、点灯開始時に電極温度が安定するまでの間、調光を禁止する必要があり、このようなランプを点灯させるための従来の照明装置の回路ブロックを図１１に示す。ＨＩＤランプからなるランプ１と、入力電源Ｐを入力されてランプ１を点灯させる電子式の安定器２と、入力電源Ｐによって動作し、外部からの調光信号Ｓ１に基づいて安定器２を調光制御する調光信号Ｓ２を出力する調光制御部４と、調光禁止設定時間Ｔ１’を設定したタイマー回路から成る調光禁止判定部（タイマー部）５０とから構成される。
【０００３】
図１４は照明器具の外観図を示しており、ランプ１は椀型の反射鏡１０の内底面から前方に突出しており、後方ではソケット１１を介して安定器２に接続している。安定器２の側面には調光制御部４と調光禁止判定部５０とが配置されている。
【０００４】
以下、点灯開始時の動作を図１２のフローチャートを用いて説明する。まず点灯開始時には（ステップＳ１０１）、調光禁止判定部５０のタイマ回路が計時を開始する（ステップＳ１０２）。そして、点灯開始からの経過時間が調光禁止設定時間Ｔ１’以内であれば調光禁止判定部５０は調光制御部４の調光禁止状態を継続して全点灯制御を行い、点灯開始からの経過時間が調光禁止設定時間Ｔ１’を超えれば調光禁止判定部５０は調光制御部４の調光禁止状態を解除して（ステップＳ１０３）、外部からの調光信号Ｓ１による調光制御を行う（ステップＳ１０４）。（例えば、特許文献１参照。）
【０００５】
【特許文献１】
特開２００２−１３４２９６号公報（５頁右欄第３行〜６頁左欄第５行、図１、図２）
【０００６】
【発明が解決しようとする課題】
図１３は点灯開始からの経過時間に対するランプ１の電極温度の特性を示しており、ランプ１の電極温度が安定するまでの時間には、ランプ個体の特性や周囲温度等の諸条件によってばらつきがあるため、上記従来例では、調光禁止設定時間Ｔ１’を実際の電極温度の安定時間Ｔ２に対して十分余裕を持った時間とする必要がある。すなわち、調光禁止の解除が遅れると共に、時間（Ｔ１’−Ｔ２）の間は無駄に調光禁止を継続した状態となり、無駄に電力を消費している。
【０００７】
本発明は、上記事由に鑑みてなされたものであり、その目的は、点灯開始時に、電極温度の安定とほぼ同時に調光が可能となる照明装置を提供することにある。
【０００８】
【課題を解決するための手段】
請求項１の発明は、ランプと、ランプを調光する調光手段と、ランプ出力を点灯開始から監視する監視手段と、点灯開始時には調光手段の調光を禁止し、監視手段で監視しているランプ出力が飽和した時点で調光手段の調光禁止を解除する調光禁止判定手段とを備えることを特徴とする。
【０００９】
請求項２の発明は、請求項１において、前記監視手段はランプから放射される温度の測定結果を出力する温度測定手段から成り、前記調光禁止判定手段は温度測定手段の出力が飽和した時点で調光手段での調光禁止を解除することを特徴とする。
【００１０】
請求項３の発明は、請求項１において、前記監視手段はランプの光出力の測定結果を出力する光出力測定手段から成り、前記調光禁止判定手段は光出力測定手段の出力が飽和した時点で調光手段での調光禁止を解除することを特徴とする。
【００１１】
請求項４の発明は、請求項３において、前記調光手段は、前記光出力測定手段が測定した光出力の測定値が調光目標値となるように調光信号を変化させて調光を行うことを特徴とする。
【００１２】
【発明の実施の形態】
以下、本発明の実施の形態を図面に基づいて説明する。
【００１３】
（実施形態１）
本実施形態の照明装置の回路ブロックを図１に示す。照明装置は、ＨＩＤランプからなるランプ１と、入力電源Ｐを入力されてランプ１を点灯させる電子式の安定器２と、入力電源Ｐによって動作し、外部からの調光信号Ｓ１に基づいて安定器２を調光制御する調光信号Ｓ２を出力する調光制御部４と、ランプ１から放射される温度を測定し、測定した温度データＤ１を出力する温度センサ３ａと、温度データＤ１から調光禁止時間Ｔ１を決定する調光禁止判定部５とから構成される。
【００１４】
図４は照明器具の外観図を示しており、ランプ１は椀型の反射鏡１０の内底面から前方に突出しており、後方ではソケット１１を介して安定器２に接続している。安定器２の側面には調光制御部４と調光禁止判定部５とが配置され、反射鏡１０のランプ１近傍には温度センサ３ａが配置されている。
【００１５】
ランプ１の点灯開始からの電極温度の変化と、ランプ１から放射される温度の変化とには相関があり、以下、点灯開始時の動作を図２のフローチャートを用いて説明する。まず点灯開始時には（ステップＳ１）、温度センサ３ａがランプ１の放射温度を測定し、温度データＤ１を出力する（ステップＳ２）。次に、調光禁止判定部５は温度データＤ１からランプ１の放射温度の変化を検出し、放射温度の測定値が飽和するまでは調光制御部４の調光禁止状態を継続して全点灯制御を行う。そして放射温度の測定値が飽和すると電極温度が安定したと判断し（ステップＳ３）、その飽和時点までを調光禁止時間Ｔ１として、以降、調光禁止判定部５は調光制御部４の調光禁止状態を解除して、外部からの調光信号Ｓ１による調光制御を行う（ステップＳ４）。
【００１６】
図３は、点灯開始からの経過時間に対するランプ１の放射温度測定値の本実施形態の特性Ａ１、及び図１１〜図１３に示す従来例での特性Ｂ１とを示す。点灯開始からランプ１の放射温度の測定値が飽和するまでを調光禁止時間Ｔ１とした本実施形態では、従来のタイマ回路で設定した調光禁止設定時間Ｔ１’を用いた従来例に比べて、時間（Ｔ１’−Ｔ１）早く調光可能となる。
【００１７】
（実施形態２）
本実施形態の照明装置の回路ブロックは図５に示すように、実施形態１の温度センサ３ａを光センサ３ｂに置き換えたもので、実施形態１と同様の構成には同一の符号を付して説明は省略する。
【００１８】
光センサ３ｂは図８に示すように反射鏡１０のランプ１近傍に配置されており、ランプ１の光出力を測定し、測定した光出力データＤ２を出力し、調光禁止判定部５は光出力データＤ２から調光禁止時間Ｔ１を決定する。
【００１９】
ランプ１の点灯開始からの電極温度の変化と、ランプ１の光出力の変化とには相関があり、以下、点灯開始時の動作を図６のフローチャートを用いて説明する。まず点灯開始時には（ステップＳ１１）、光センサ３ｂがランプ１の光出力を測定し、光出力データＤ２を出力する（ステップＳ１２）。次に、調光禁止判定部５は光出力データＤ２からランプ１の光出力の変化を検出し、光出力の測定値が飽和するまでは調光制御部４の調光禁止状態を継続して全点灯制御を行う。そして光出力の測定値が飽和すると電極温度が安定したと判断し（ステップＳ１３）、その飽和時点までを調光禁止時間Ｔ１として、以降、調光禁止判定部５は調光制御部４の調光禁止状態を解除して、外部からの調光信号Ｓ１による調光制御を行う（ステップＳ１４）。
【００２０】
図７は、点灯開始からの経過時間に対するランプ１の光出力測定値の本実施形態の特性Ａ２、及び図１１〜図１３に示す従来例での特性Ｂ２とを示す。点灯開始からランプ１の光出力の測定値が飽和するまでを調光禁止時間Ｔ１とした本実施形態では、従来のタイマ回路で設定した調光禁止設定時間Ｔ１’を用いた従来例に比べて、時間（Ｔ１’−Ｔ１）早く調光可能となる。
【００２１】
（実施形態３）
本実施形態では、実施形態２の調光制御について図９のフローチャートを用いて説明し、その回路ブロックは実施形態２と同様に図５に示され、実施形態２と同様の構成には同一の符号を付して説明は省略する。
【００２２】
まず点灯開始時には（ステップＳ２１）、光センサ３ｂがランプ１の光出力を測定し、光出力データＤ２を出力する（ステップＳ２２）。次に、調光禁止判定部５は光出力データＤ２からランプ１の光出力の変化を検出し、光出力の測定値が飽和するまでは調光制御部４の調光禁止状態を継続して全点灯制御を行う。そして光出力の測定値が飽和すると電極温度が安定したと判断し（ステップＳ２３）、その飽和時点までを調光禁止時間Ｔ１として、以降、調光禁止判定部５は調光制御部４の調光禁止状態を解除して、外部からの調光信号Ｓ１による調光制御を行う（ステップＳ２４）。上記ステップＳ２１〜Ｓ２４は実施形態２のステップＳ１１〜Ｓ１４と同様の動作である。
【００２３】
そして、光センサ３ｂがランプ１の光出力を測定し、光出力データＤ２を出力する（ステップＳ２５）。光出力データＤ２を調光禁止設定部５を介して受け取った調光制御部３は、光出力データＤ２（光出力測定値）が、外部からの調光信号Ｓ１に応じて目標とする光出力値（調光目標値）より小さいか否かを比較、判断し（ステップＳ２６）、光出力測定値が調光目標値より小さければ、出力する調光信号Ｓ２の調光レベルを上げて、光出力を増加させる（ステップＳ２７）。光出力測定値が調光目標値より大きければ（ステップＳ２８）、出力する調光信号Ｓ２の調光レベルを下げて、光出力を低下させる（ステップＳ２９）。
【００２４】
上記調光制御を行うことで、ランプ１の光出力を外部からの調光信号Ｓ１に応じた値に制御することができ、さらには外部からの調光信号Ｓ１を調光目標値とする以外に図１０に示す回路ブロックのように、調光制御部４に予め調光目標値を設定しておくことで、外部からの調光信号Ｓ１なしで調光制御を行うことができる。
【００２５】
【発明の効果】
請求項１の発明は、ランプと、ランプを調光する調光手段と、ランプ出力を点灯開始から監視する監視手段と、点灯開始時には調光手段の調光を禁止し、監視手段で監視しているランプ出力が飽和した時点で調光手段の調光禁止を解除する調光禁止判定手段とを備えるので、点灯開始から調光禁止解除までの時間に余裕をみる必要がなく、ランプの電極温度の安定とほぼ同時に調光が可能となり、より早い時点での調光開始を可能とし、より高い省エネルギー効果を得ることができるという効果がある。
【００２６】
請求項２の発明は、請求項１において、前記監視手段はランプから放射される温度の測定結果を出力する温度測定手段から成り、前記調光禁止判定手段は温度測定手段の出力が飽和した時点で調光手段での調光禁止を解除するので、ランプの放射温度の変化を監視することで、ランプの電極温度の変化を容易に監視することができるという効果がある。
【００２７】
請求項３の発明は、請求項１において、前記監視手段はランプの光出力の測定結果を出力する光出力測定手段から成り、前記調光禁止判定手段は光出力測定手段の出力が飽和した時点で調光手段での調光禁止を解除するので、ランプの光出力の変化を監視することで、ランプの電極温度の変化を容易に監視することができるという効果がある。
【００２８】
請求項４の発明は、請求項３において、前記調光手段は、前記光出力測定手段が測定した光出力の測定値が調光目標値となるように調光信号を変化させて調光を行うので、光出力測定手段を調光制御にも用いることができ、部品点数を低減することができるという効果がある。
【図面の簡単な説明】
【図１】本発明の実施形態１の回路ブロックを示す図である。
【図２】同上の動作フローチャートを示す図である。
【図３】同上の経過時間に対するランプの放射温度の測定値の特性を示す図である。
【図４】同上の外観を示す図である。
【図５】本発明の実施形態２の回路ブロックを示す図である。
【図６】同上の動作フローチャートを示す図である。
【図７】同上の経過時間に対するランプの光出力の測定値の特性を示す図である。
【図８】同上の外観を示す図である。
【図９】本発明の実施形態３の動作フローチャートを示す図である。
【図１０】同上の回路ブロックを示す図である。
【図１１】従来例の回路ブロックを示す図である。
【図１２】同上の動作フローチャートを示す図である。
【図１３】同上の経過時間に対するランプの電極温度の特性を示す図である。
【図１４】同上の外観を示す図である。
【符号の説明】
１    ランプ
２    安定器
３ａ  温度センサ
４    調光制御部
５    調光禁止判定部
【図１】
2004265705.tif 000003
【図２】
2004265705.tif 000004
【図３】
2004265705.tif 000005
【図４】
2004265705.tif 000006
【図５】
2004265705.tif 000007
【図６】
2004265705.tif 000008
【図７】
2004265705.tif 000009
【図８】
2004265705.tif 000010
【図９】
2004265705.tif 000011
【図１０】
2004265705.tif 000012
【図１１】
2004265705.tif 000013
【図１２】
2004265705.tif 000014
【図１３】
2004265705.tif 000015
【図１４】
2004265705.tif 000016